(57)【要約】【課題】可逆熱変色層を意識しなくても、通常の使用で確実に可逆熱変色層の熱変色が得られ、操作部のスライド操作の度に、窓孔の周縁部の色変化により、視覚的な面白さが得られる多芯筆記具を提供する。【解決手段】軸筒２内に複数の筆記体５を前後方向に移動可能に収容する。各々の筆記体５を弾発体７により後方に付勢する。各々の筆記体５の後端に操作体６を連結する。軸筒２の側壁に前後方向に延びる複数の窓孔４１を径方向に貫設する。各々の窓孔４１から径方向外方に各々の操作体６の操作部６１を突出させる。窓孔４１の周縁部の軸筒２表面に手指の接触により熱変色可能な可逆熱変色層８を設ける。【選択図】  図１
2012183700.tif 000002
【特許請求の範囲】
【請求項１】
軸筒内に複数の筆記体を前後方向に移動可能に収容し、前記各々の筆記体を弾発体により後方に付勢し、前記各々の筆記体の後端に操作体を連結し、軸筒の側壁に前後方向に延びる複数の窓孔を径方向に貫設し、前記各々の窓孔から径方向外方に前記各々の操作体の操作部を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させてなる多芯筆記具であって、前記窓孔の周縁部の軸筒表面に手指の接触により熱変色可能な可逆熱変色層を設けたことを特徴とする多芯筆記具。
【請求項２】
前記操作部の一つを前方にスライド操作してペン先突出状態となった際、前記操作部の一部または全部を軸筒内に没入させ、前記没入させた操作部の頂部と、前記窓孔の周縁部の軸筒表面の可逆熱変色層とを１本の手指で同時に接触可能とした請求項１記載の多芯筆記具。
【請求項３】
前記各々の窓孔の周縁部に可逆熱変色層を設け、前記各々の可逆熱変色層における手指の接触による熱変色の前の様相が同一である請求項２記載の多芯筆記具。
【請求項４】
前記可逆熱変色層の上面に透明性金属光沢顔料を含む金属光沢層を形成した請求項１乃至３のいずれか一つに記載の多芯筆記具。
【発明の詳細な説明】
【技術分野】
【０００１】
本発明は、多芯筆記具に関する。
【背景技術】
【０００２】
従来、特許文献１には、文房具表面の適宜位置に、手先の接触乃至摩擦により変色する可逆熱変色層を設けた文房具が開示されている。また、特許文献１には、筆記具の場合、可逆熱変色層を軸筒の表面部分に設けることが記載されている。
【先行技術文献】
【特許文献】
【０００３】
【特許文献１】特開平９−２９５４８９号公報
【発明の概要】
【発明が解決しようとする課題】
【０００４】
前記特許文献１の筆記具は、軸筒の表面に可逆熱変色層を設ける場合、可逆熱変色層を意識して接触しなければ確実な熱変色が得られないおそれがある。
【０００５】
本発明は、前記従来の問題点を解決するものであって、可逆熱変色層を意識しなくても、通常の使用で確実に可逆熱変色層の熱変色が得られ、操作部のスライド操作の度に、窓孔の周縁部の色変化により、視覚的な面白さが得られる多芯筆記具を提供しようとするものである。
また、本発明は、操作部の一つを前方にスライド操作させた直後、該スライド操作した操作部の周囲の窓孔の周縁部の可逆熱変色層を、より一層確実に熱変色させることができる多芯筆記具を提供しようとするものである。
また、本発明は、スライド操作した直後の操作部の周囲の窓孔の周縁部の色変化を容易に識別できる多芯筆記具を提供しようとするものである。
また、本発明は、窓孔の周縁部の装飾性が向上し、高級感を有する外観が得られる多芯筆記具を提供しようとするものである。
尚、本発明で、「前」とは、ペン先側を指し、「後」とは、その反対側を指す。
【課題を解決するための手段】
【０００６】
本願の第１の発明は、軸筒２内に複数の筆記体５を前後方向に移動可能に収容し、前記各々の筆記体５を弾発体７により後方に付勢し、前記各々の筆記体５の後端に操作体６を連結し、軸筒２の側壁に前後方向に延びる複数の窓孔４１を径方向に貫設し、前記各々の窓孔４１から径方向外方に前記各々の操作体６の操作部６１を突出させ、一つの操作体６を窓孔４１に沿って前方にスライドさせることにより、その一つの操作体６に連結された筆記体５のペン先５１を軸筒２の前端孔３１から突出させるとともに、先に突出状態にあった他の筆記体５のペン先５１を軸筒２内に没入させてなる多芯筆記具であって、前記窓孔４１の周縁部の軸筒２表面に手指の接触により熱変色可能な可逆熱変色層８を設けたことを要件とする。
【０００７】
前記第１の発明の多芯筆記具１は、窓孔４１の周縁部の軸筒２表面に手指の接触により熱変色可能な可逆熱変色層８を設けたことにより、可逆熱変色層８を意識しなくても、通常の使用で確実に可逆熱変色層８の熱変色が得られ、操作部６１のスライド操作の度に、窓孔４１の周縁部の色変化により、視覚的な面白さが得られる。
【０００８】
本願の第２の発明は、前記第１の発明の多芯筆記具１において、前記操作部６１の一つを前方にスライド操作してペン先突出状態となった際、前記操作部６１の一部または全部を軸筒２内に没入させ、前記没入させた操作部６１の頂部と、前記窓孔４１の周縁部の軸筒２表面の可逆熱変色層８とを１本の手指で同時に接触可能としたことを要件とする。
【０００９】
前記第２の発明の多芯筆記具１は、操作部６１の一つを前方にスライド操作してペン先突出状態となった際、前記操作部６１の一部または全部を軸筒２内に没入させ、前記没入させた操作部６１の頂部と、前記窓孔４１の周縁部の軸筒２表面の可逆熱変色層８とを１本の手指で同時に接触可能としたことにより、操作部６１の一つを前方にスライド操作させた直後、該スライド操作した操作部６１の周囲の窓孔４１の周縁部の可逆熱変色層８を、より一層確実に熱変色させることができる。
【００１０】
本願の第３の発明は、前記第２の発明の多芯筆記具１において、前記各々の窓孔４１の周縁部に可逆熱変色層８を設け、前記各々の可逆熱変色層８における手指の接触による熱変色の前の様相が同一であることを要件とする。
【００１１】
前記第３の発明の多芯筆記具１は、前記各々の窓孔４１の周縁部に可逆熱変色層８を設け、前記各々の可逆熱変色層８における手指の接触による熱変色の前の様相が同一であることにより、スライド操作した直後の操作部６１の周囲の窓孔４１の周縁部の色変化を容易に識別できる。もし、前記各々の窓孔４１の周縁部の可逆熱変色層８における、加熱による変色前の様相が異なる場合、スライド操作した直後の操作部６１の周囲の窓孔４１の周縁部の色変化を容易に識別できないおそれがある。
【００１２】
本願の第４の発明は、前記第１乃至第３の発明の多芯筆記具１において、前記可逆熱変色層８の上面に透明性金属光沢顔料を含む金属光沢層を形成したことを要件とする。
【００１３】
前記第４の発明の多芯筆記具１は、前記可逆熱変色層８の上面に透明性金属光沢顔料を含む金属光沢層を形成したことにより、窓孔４１の周縁部の装飾性が向上し、高級感を有する外観が得られる。
【００１４】
・可逆熱変色層
前記可逆熱変色層８中に含まれる可逆熱変色性組成物としては、従来より公知の（イ）電子供与性呈色性有機化合物、（ロ）電子受容性化合物、及び（ハ）前記両者の呈色反応の生起温度を決める反応媒体、の必須三成分を含む可逆熱変色性組成物が有効であり、発色状態からの加熱により消色する加熱消色型可逆熱変色性組成物としては、特公昭５１−４４７０６号公報、特公昭５１−４４７０７号公報、特公平１−２９３９８号公報等に記載の組成物が利用できる。
【００１５】
前記組成物は、所定の温度（変色点）を境としてその前後で変色し、完全消色温度以上の温度域で消色状態を呈し、完全発色温度以下の温度域で発色状態を呈し、前記両状態のうち常温域では特定の一方の状態しか存在しない。即ち、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性を有する。
【００１６】
又、加熱消色型可逆熱変色性組成物として、特公平４−１７１５４号公報、特開平７−１７９７７７号公報、特開平７−３３９９７号公報、特開平８−３９９３６号公報等に記載された、温度変化による着色濃度の変化をプロットした曲線の形状が、温度を変色温度域より低温側から上昇させていく場合と、逆に変色温度域より高温側から下降させていく場合とで大きく異なる経路を辿って変色し、完全発色温度以下の低温域での発色状態、又は、完全消色温度以上の高温域での消色状態が特定温度域で互変的に記憶保持できるヒステリシス幅が比較的大きい特性を有する色彩記憶保持型可逆熱変色性顔料も利用できる。
【００１７】
更には、消色状態からの加熱により発色し、温度降下により消色する加熱発色型可逆熱変色性組成物も利用でき、電子受容性化合物として、炭素数３乃至１８の直鎖又は側鎖アルキル基を有する特定のアルコキシフェノール化合物を適用した系（特開平１１−１２９６２３号公報、特開平１１−５９７３号公報）、特定のヒドロキシ安息香酸エステルを適用した系（特開２００１−１０５７３２号公報）、特定の没食子酸エステル等を適用した系（特開２００３−２５３１４９号公報）が挙げられる。
【００１８】
前記した可逆熱変色性組成物は、そのままの適用でも有効であるが、マイクロカプセルに内包して使用するのが好ましい。それは、種々の使用条件において可逆熱変色性組成物は同一の組成に保たれ、同一の作用効果を奏することができるからである。前記微小カプセルに内包させることにより、化学的、物理的に安定なマイクロカプセル顔料を構成でき、粒子径０．１〜３０μｍ、好ましくは０．５〜１０μｍの範囲が実用性を満たす。
【００１９】
尚、マイクロカプセル化は、従来より公知の界面重合法、ｉｎ
Ｓｉｔｕ重合法、液中硬化被覆法、水溶液からの相分離法、有機溶媒からの相分離法、融解分散冷却法、気中懸濁被覆法、スプレードライング法等があり、用途に応じて適宜選択される。更にマイクロカプセルの表面には、目的に応じて更に二次的な樹脂皮膜を設けて耐久性を付与させたり、表面特性を改質させて実用に供することもできる。
【００２０】
前記可逆熱変色性組成物をビヒクル中に分散したインキや塗料を用いて、従来より公知の方法、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等の手段により、窓孔４１の周縁部の軸筒２表面に可逆熱変色層８を形成できる。により可逆熱変色層８を形成できる。更には、前記可逆熱変色性組成物を内包したマイクロカプセル顔料を、熱可塑性樹脂或いは熱硬化性樹脂中にブレンドして形成した成形体を可逆熱変色層８として用いてもよい。更に、各層が成形体により形成される場合は、各層を接着して積層体が得られる。前記した可逆熱変色層８には、非熱変色性有色染顔料の適宜量を混在させて熱変色層の色変化を多彩に構成することもできる。
【００２１】
また、前記可逆熱変色層８は、可逆熱変色性組成物をビヒクル中に分散したインキや塗料を用いて、適宜の文字、数字、記号、図形、図柄等を形成してもよい。また、前記可逆熱変色層８の下層に、非熱変色性有色染顔料による非熱変色層を形成し、該非熱変色層を前記可逆熱変色層８により隠顕させる構成にしてもよい。また、前記可逆熱変色層８の上層に非変色層を形成しもよい。前記非熱変色層は、適宜の文字、数字、記号、図形、図柄等からなるものでもよい。
【００２２】
・金属光沢層
前記透明性金属光沢顔料は、天然雲母、合成雲母、偏平ガラス片、薄片状酸化アルミニウム等から選ばれる透明性芯物質を金属酸化物で被覆したもの、あるいは視点により色調が変化するカラーフロップ性を有する金属光沢顔料（例えばコレステリック液晶型光輝性顔料）が挙げられる。
【００２３】
前記透明性金属光沢顔料をビヒクル中に分散したインキや塗料を用いて、従来より公知の方法、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等の手段により、窓孔４１の周縁部の軸筒２表面の可逆熱変色層８の上面に金属光沢層を形成できる。更には、前記金属光沢顔料を熱可塑性樹脂或いは熱硬化性樹脂中にブレンドして形成した成形体を金属光沢層として用いてもよい。
【発明の効果】
【００２４】
本発明の多芯筆記具は、可逆熱変色層を意識しなくても、通常の使用で確実に可逆熱変色層の熱変色が得られ、操作部のスライド操作の度に、窓孔の周縁部の色変化により、視覚的な面白さが得られる。
【図面の簡単な説明】
【００２５】
【図１】本発明の第１の実施の形態のペン先没入状態を示す正面図である。
【図２】図１の縦断面図である。
【図３】図１のペン先突出状態を示す縦断面図である。２点鎖線は手指を示す。
【図４】本発明の第２の実施の形態のペン先没入状態を示す正面図である。
【発明を実施するための形態】
【００２６】
＜第１の実施の形態＞
図１乃至図３に本発明の第１の実施の形態を示す。
本実施の形態の多芯筆記具１は、軸筒２内に複数本（具体的には４本）の筆記体５が前後方向に移動可能に収容されている。前記各々の筆記体５は、弾発体７（具体的には圧縮コイルスプリング）により、後方に付勢されている。尚、前記軸筒２内に収容する複数本の筆記体６は、４本以外にも、例えば、２本、３本、５本、６本であってもよい。
【００２７】
・軸筒
前記軸筒２は、先細状の前軸３と、該前軸３の後端部に着脱自在に連結される後軸４とからなる。前記軸筒２（前軸３）の前端には、前記筆記体５のペン先５１が出没可能な前端孔３１が前後方向に貫設される。前記軸筒２（後軸４）の後部の側壁には、複数本（具体的には４本）の前後方向に延びる細長状の窓孔４１が径方向に貫設される。
【００２８】
また、前記軸筒２の窓孔４１の相互間の側壁内面には、前後方向に延びるリブよりなる係止壁部４２が形成され、前記係止壁部４２に、ペン先５１が突出した際の筆記体５の操作体６の後端が係止される。前記軸筒２の窓孔４１の相互間の側壁外面には、クリップ（図示せず）が設けられる。前記軸筒２の後端部には、当接壁部４３が形成される。前記当接壁部４３に、没入状態の筆記体５の後端に連結された各々の操作体６の後端が衝止される。
【００２９】
・筆記体
前記各々の筆記体５は、ボールペンレフィルであり、前端にボールが回転可能に抱持されたボールペンチップ（即ちペン先５１）と、該ボールペンチップを前端に備え且つ後端が開口されたインキ収容管５２とからなる。前記インキ収容管５２の内部には、インキが収容される。前記インキ収容管５２内のインキの後端には、インキの消費に伴い前進する高粘度流体からなる追従体が充填される。
【００３０】
・操作体
前記各々の筆記体５の後端（即ちインキ収容管５２の後端開口部）には、操作体６が取り付けられる。前記各々の操作体６は、後端部に形成され且つ軸筒２の窓孔４１から外部に突出する操作部６１と、該操作部６１の反対側に設けられる後側突出部６３と、該操作部６１の反対側の後側突出部６３の前方に設けられる前側突出部６２と、前端部に形成され且つインキ収容管５２の後端開口部に嵌入される嵌入部６４と、該嵌入部６４の後方に形成される鍔部６５とを備える。前記鍔部６５の前面には、弾発体７の後端が係止される。
【００３１】
筆記体５のペン先５１が没入状態のとき、その筆記体５に取り付けられた操作体６の後端部は、当接壁部４３に衝止される。一方、筆記体５のペン先５１が突出状態のとき、その筆記体５に取り付けられた操作体６の後端部は、軸筒２の内壁に形成された係止壁部４２に係止される。
【００３２】
ペン先没入状態にある筆記体５の後端に連結された操作体６の前側突出部６２は、その操作体６の操作部６１を前方にスライド操作した際、先にペン先突出状態にある他の筆記体５の後端に連結された操作体６の後側突出部６３と当接され、他の筆記体５のペン先突出状態が解除される。
【００３３】
前記操作部６１の一つを前方にスライド操作してペン先突出状態となった際、前記操作部６１の殆どが軸筒２内に没入され、前記操作部６１の頂部が僅かに軸筒２側壁表面より外部に突出される。それにより、前記操作部６１の頂部と前記窓孔４１の周縁部の軸筒２表面の可逆熱変色層８とを１本の手指で同時に接触可能となる。
【００３４】
・可逆熱変色層
前記各々の窓孔４１の周縁部の軸筒２（後軸４）表面には、可逆熱変色層８が形成される。前記可逆熱変色層８の上面に透明性金属光沢顔料を含む金属光沢層が形成される。前記可逆熱変色層８は、手指の接触や摩擦等によって色相が変化する可逆熱変色性材料を含む塗装用インキや印刷用インキを窓孔４１の周縁部の軸筒２（後軸４）表面に塗装もしくは印刷することで形成されており、変色する好ましい温度領としては、−１０℃〜５０℃であり、より好ましくは２５℃〜４５℃となる。前記可逆熱変色性材料としては、先に説明したものが適用でき、可逆熱変色性組成物が直接用いられる他、該組成物をマイクロカプセルに内包したマイクロカプセル顔料形態で用いることができる。前記金属光沢層は、先に説明した透明性金属光沢顔料を含む塗装用インキや印刷用インキを前記可逆熱変色層８の上面に塗装もしくは印刷することで形成されており、透明性があることより、前記可逆熱変色層８の色相変化が金属光沢調となって視認できる。更に、前記可逆熱変色層８の上面に紫外線吸収剤を含むトップコート層を積層形成することもでき、装飾効果と耐光性の向上効果が付与できる。前記各々の窓孔４１の周縁部の軸筒２表面の可逆熱変色層８の様相が、手指の接触による熱変色する前において同一である
【００３５】
本実施の形態の多芯筆記具１は、窓孔４１の周縁部の軸筒２表面に手指の接触により熱変色可能な可逆熱変色層８を設けたことにより、可逆熱変色層８を意識しなくても、通常の使用で確実に可逆熱変色層８の熱変色が得られ、操作部６１のスライド操作の度に、窓孔４１の周縁部の色変化により、視覚的な面白さが得られる。
【００３６】
本実施の形態の多芯筆記具１は、操作部６１の一つを前方にスライド操作してペン先突出状態となった際、前記操作部６１の一部または全部を軸筒２内に没入させ、前記没入させた操作部６１の頂部と、前記窓孔４１の周縁部の軸筒２表面の可逆熱変色層８とを１本の手指で同時に接触可能としたことにより、操作部６１の一つを前方にスライド操作させた直後、該スライド操作した操作部６１の周囲の窓孔４１の周縁部の可逆熱変色層８を、より一層確実に熱変色させることができる。
【００３７】
本実施の形態の多芯筆記具１は、各々の窓孔４１の周縁部に可逆熱変色層８を設け、前記各々の可逆熱変色層８における手指の接触による熱変色の前の様相が同一であることにより、スライド操作した直後の操作部６１の周囲の窓孔４１の周縁部の色変化を容易に識別できる。
【００３８】
本実施の形態の多芯筆記具１は、可逆熱変色層８の上面に透明性金属光沢顔料を含む金属光沢層を形成したことにより、窓孔４１の周縁部の装飾性が向上し、高級感を有する外観が得られる。
【００３９】
＜第２の実施の形態＞
図４に本発明の第２の実施の形態を示す。
本実施の形態は、第１の実施の形態の変形例であり、第１の実施の形態と異なる点は、各々の窓孔４１周縁部の軸筒２表面のみならず、前記後軸４の側壁表面全体に、可逆熱変色層８が形成される点であり、他の構成及び作用効果は第１の実施の形態と共通であるため説明を省略する。
【符号の説明】
【００４０】
１  多芯筆記具
２  軸筒
３  前軸
３１  前端孔
４  後軸
４１  窓孔
４２  係止壁部
４３  当接壁部
５  筆記体
５１  ペン先
５２  インキ収容管
６  操作体
６１  操作部
６２  前側突出部
６３  後側突出部
６４  嵌入部
６５  鍔部
７  弾発体
８  可逆熱変色層
【図１】
2012183700.tif 000003
【図２】
2012183700.tif 000004
【図３】
2012183700.tif 000005
【図４】
2012183700.tif 000006